(57)【要約】      （修正有）【課題】物品への取り付けに際してその形態が崩れることを防止し得る蝶結びを提供する。【解決手段】装飾用の蝶結び１０は、リボン片を用いて形成され、リボン片の一端部からなる第１の垂れ１２と、第１の垂れから環状に伸びるリング１４と、リングから伸びかつ折り返されてなる第１のループ１６と、第１のループから伸び、リング１４が規定する環状空間Ｓの外側からその内側に向けて、第１の垂れとリングとの境界部分及びリングと第１の垂れ１２との境界部分の周囲を取り巻く結び目１８と、結び目から伸びかつ折り返されてなる第２のループであって結び目に通された第２のループ２０と、第２のループから伸びる、リボン片の他端部からなる第２の垂れ２２とを備える。第２のループは、リング１４と第１のループ１６との境界部分に固着４２されている。【選択図】図１
0003194938.tif 000002
【実用新案登録請求の範囲】
【請求項１】
一端部及び他端部を有するリボン片で形成された装飾用の蝶結びであって、
前記リボン片の一端部からなる第１の垂れと、該第１の垂れから環状に伸びるリングと、該リングから伸びかつ折り返されてなる第１のループと、該第１のループから伸び、前記リングが規定する環状空間の外側からその内側に向けて前記第１の垂れと前記リングとの境界部分及び前記リングと前記第１のループとの境界部分の周囲を取り巻く結び目と、該結び目から伸びかつ折り返されてなる第２のループであって前記結び目に通された第２のループと、該第２のループから伸びる、前記リボン片の他端部からなる第２の垂れとを備え、
前記第２のループが、前記リングと前記第１のループとの境界部分に固着されている、装飾用の蝶結び。
【考案の詳細な説明】
【技術分野】
【０００１】
本考案は、商品やその包装からなる物品の装飾に用いられる蝶結びに関する。
【背景技術】
【０００２】
従来、リボン片で形成された装飾用の蝶結びが提案されている。この蝶結びは、前記リボン片の一端部からなる第１の垂れと、該第１の垂れから環状に伸びるリングと、該リングから伸びかつ折り返されてなる第１のループと、該第１のループから伸び、前記リングが規定する環状空間の外側からその内側に向けて前記第１の垂れと前記リングとの境界部分及び前記リングと前記第１のループとの境界部分の周囲を取り巻く結び目と、該結び目から折り返されて伸びる、前記結び目に通された第２のループと、該第２のループから伸びる、前記リボン片の他端部からなる第２の垂れとを備える。この蝶結びによれば、その第１の垂れを引き、これに連なる前記リングの一部を前記結び目に対して相対移動させることにより、前記リングの大きさ又は直径を次第に小さくすることができる。このことから、装飾対象である物品をその周りに掛けた前記リングで緊縛して前記蝶結びを前記物品に取り付け、その装飾に供することができる。
【先行技術文献】
【特許文献】
【０００３】
【特許文献１】実開平５−６９１９１号公報
【考案の概要】
【考案が解決しようとする課題】
【０００４】
ところで、前記従来の蝶結びにあっては、物品に前記リングを掛けた後、前記第１の垂れを引いて前記リングの大きさを小さくすべきところ、誤って前記第２の垂れを引くことがある。前記第２の垂れは前記第２のループに連なり、該第２のループは前記結び目に連なっていることから、前記第２の垂れを引っ張ると前記第２のループが前記結び目から引き出され、さらに前記結び目が解け、前記蝶結び形態が崩れることがある。したがって、本考案の目的は、物品への取り付けに際してその形態が崩れることを防止し得る装飾用の蝶結びを提供することにある。
【課題を解決するための手段】
【０００５】
本考案は、一端部及び他端部を有するリボン片で形成された装飾用の蝶結びに係る。前記蝶結びは、前記リボン片の一端部からなる第１の垂れと、該第１の垂れから環状に伸びるリングと、該リングから伸びかつ折り返されてなる第１のループと、該第１のループから伸び、前記リングが規定する環状空間の外側からその内側に向けて前記第１の垂れと前記リングとの境界部分及び前記リングと前記第１のループとの境界部分の周囲を取り巻く結び目と、該結び目から伸びかつ折り返されてなる第２のループであって前記結び目に通された第２のループと、該第２のループから伸びる、前記リボン片の他端部からなる第２の垂れとを備え、前記第２のループが、前記リングと前記第１のループとの境界部分に固着されている。本考案において、前記「境界部分」とは、境界線及び該境界線の近傍の領域を規定する部分である。
【０００６】
本考案によれば、第１の垂れを引き寄せると、該第１の垂れから伸びる前記リングの一部が前記結び目を通して引き出され、前記第１の垂れの長さが実質的に増大すると共に前記リングの大きさが漸減する。このことから、装飾対象である物品の周りに前記リングを掛け、前記第１の垂れを引くことにより、前記リングで前記物品を緊縛し、前記蝶結びを前記物品に取り付けることができる。本考案にあっては、前記第２の垂れに連なる前記第２のループが前記リングと前記第１のループとの境界部分に固着されており、このため、前記第１の垂れを介しての前記リングの一部の引き出しの可能性が確保され、また、前記第２の垂れを介しての前記結び目からの前記第２のループの引き出しが不能とされている。このことから、前記第１の垂れを引くべきところを誤って前記第２の垂れを引いた場合に生じる前記蝶結びの形態の崩壊が防止される。
【０００７】
また、前記第２のループの固着の箇所は前記リングと前記第１のループとの境界部分にあり、該境界部分は前記結び目により取り巻かれていることから、前記固着の箇所は前記結び目の隠れて表に現れず、前記蝶結びの装飾効果の発揮を阻害しない。
【図面の簡単な説明】
【０００８】
【図１】装飾用の蝶結び斜視図である。
【図２】装飾用の蝶結びの形成手順の最初の状態にあるリボン片の斜視図である。
【図３】装飾用の蝶結びの形成手順の途中の状態にあるリボン片の斜視図である。
【図４】装飾用の蝶結びを形成手順の最後の状態にあるリボン片の斜視図である。
【図５】物品とこれに取り付けられた装飾用の蝶結びとを示す斜視図である。
【考案を実施するための形態】
【０００９】
図１を参照すると、本考案に係る装飾用の蝶結びが全体に符号１０で示されている。蝶結び１０は、任意の商品又はその包装からなる物品Ｃ（図５参照）の装飾のためにこれに取り付けられる。図５に示すところでは、蝶結び１０が、商品の包装である包装箱又は包装紙で覆われた包装箱からなる物品Ｃに取り付けられている。なお、商品が液体からなる液体商品については、蝶結び１０は、前記液体商品の包装である瓶やボトル（図示せず）の周面上に取り付けられる。
【００１０】
蝶結び１０は、一端部２６及び他端部２８を有する単一のリボン片２４（図２）で形成されている。蝶結び１０は、図１に示すように、リボン片２４の一端部２６（図２）からなる第１の垂れ１２と、該第１の垂れから環状に伸びるリング１４と、該リングから伸びかつ折り返されてなる第１のループ１６と、該第１のループから伸び、リング１４が規定する環状空間Ｓの外側からその内側に向けて、第１の垂れ１２とリング１４との境界部分３２ａ（図３参照）及びリング１４と第１のループ１６との境界部分３６ａ（図３参照）を取り巻く結び目１８と、該結び目から伸びかつ折り返されてなる、結び目１８に通された第２のループ２０と、該第２のループから伸びる、リボン片２４の他端部２８（図２）からなる第２の垂れ２２とを備える。
【００１１】
リボン片２４は、合成繊維製、化学繊維製、天然繊維製等の織物又は不織布、あるいは合成樹脂製のテープからなる。図２に示すリボン片２４は、合成樹脂製の繊維の１つである熱可塑性樹脂製の繊維からなる。リボン片２４は任意の色彩、模様等を有するものとすることができる。
【００１２】
図２〜図４を参照して、リボン片２４を用いて行う蝶結び１０の作成過程を順を追って説明する。
【００１３】
まず、図２に示すように、リボン片２４の一端部２６を含む該リボン片の一部３０を湾曲させ、環状部分３２をつくる。この環状部分３２が後にリング１４となる。次に、リボン片２４の他端部２８を含む該リボン片の他の一部３４を折り返し、ループ状にする。この折り返し部分３６が後に第１のループ１６となる。次いで、リボン片２４の他の一部３４を、環状部分３２が規定する環状空間Ｓ’にその外側からその内側に向けて通し、環状部分３２の一部及び折り返し部分３６の一部（より詳細には、第１の垂れ１２とリング１４との境界部分３２ａ及びリング１４と第１のループ１６との境界部分３６ａ）の周囲を取り巻く取り巻き部分３８（図３参照）をつくる（断続する２つの矢印Ａ参照）。この取り巻き部分３８が後に結び目１８となる。
【００１４】
さらに、図３に示すように、リボン片２４の他の一部３４を他端部２８の近傍で折り返し、この折り返し部分４０を、矢印Ｂで示すように、取り巻き部分３８（取り巻き部分３８と境界部分３６ａとの間）に通し、通過させる。取り巻き部分３８を通過した折り返し部分４０が後に第２のループ２０となる。リボン片２４の他端部２８はそのままにしておく。リボン片２４の他端部２８は、後に第２の垂れ２２となる（図４参照）。
【００１５】
最後に、２つの折り返し部分３６、４０を互いに反対方向に向けて引く。これにより、取り巻き部分３８がその輪を狭め、これが取り巻く境界部分３２ａと、境界部分３６ａと、折り返し部分４０及び第２の端部２８の境界部分４０ａとを固く締め付ける。その結果、蝶結び１０が形成される。
【００１６】
このようにして形成された蝶結び１０においては、第１の垂れ１２を引張ると、該第１の垂れに連なるリング１４の一部が結び目１８を経て移動し、リング１４の直径又は大きさが次第に小さくなる。
【００１７】
したがって、蝶結び１０のリング１４を物品Ｃの周りに掛け、第１の垂れ１２を引くと、リング１４が窄んで物品Ｃの表面に接し、これを緊縛する。これにより、物品Ｃへの蝶結び１０の取り付けを行うことができる。このとき、物品Ｃを取り巻くリング１４の弛緩を防止するため、結び目２８を通して引き出されたリング１４の一部を例えば両面接着テープをもって物品Ｃの表面に固定することができる。また、リング１４の一部の結び目１８の通過に伴って実質的に長くなった第１の垂れ１２の一部を切断して、その長さ寸法を第２の垂れ２２の長さ寸法に合わせることができる。なお、リング１４を反対方向に引けば、第１の垂れ１２の一部が結び目１８を経て反対方向へ移動し、リング１４の大きさが増大する。
【００１８】
ところで、リング１４の大きさ又は直径を漸減させるために第１の垂れ１２を引くべきところ、誤って、第１の垂れ１２ではなく第２の垂れ２２を引き、このために第２のループ２０が結び目１８を経て該結び目から抜け出し、その結果、結び目１８が解けて蝶結び１２の形が崩れることがある。
【００１９】
そこで、これを防止するため、第２のループ２０が、リング１４と第１のループ１６との境界部分３６ａに固着（図１に示す固着箇所４２を参照。）されている。より詳細には、折り返されてなる第２のループ２０の根元、すなわち折り返し前後の互いに当接する２つの部分２０ａ（図１）（２つの部分２０ａのうちの一方のみを示す。）において固着されている。この固着は第１の垂れ１２とリング１４との境界部分３２ａに及ばないため、第１の垂れ１２を引くことによるリング１４の一部の蝶結び１８の通過は阻害されない。固着箇所４２の数量はこれを１とする図示の例に代えて、２以上とすることができる。
【００２０】
これによれば、誤って第２の垂れ２２を引張っても、これによって第２のループ２０が結び目１８から引き出されることはなく、したがって結び目１８が解けることはなく、蝶結び１８の形態は維持される。
【００２１】
また、第２のループ２０の固着箇所４２はリング１４と第１のループ１６との境界部分３６ａにあり、該境界部分は結び目１８に覆われていることから、表にはあらわれない。このため、第２のループ２０の前記固着が蝶結び１０の装飾効果が損うことはない。
【００２２】
第２のループ２０の前記固着は、例えば、前記熱可塑性樹脂製の繊維からなるリボン片２４を用いて蝶結び１０を形成するときは、超音波接合によることができる。前記超音波接合は、蝶結び１０の形成後、その結び目１８を一時的に横にずらし、第２のループ２０の固着箇所４２となる点を露出させて行い、終了後、結び目１８をもとの位置に戻すことにより固着箇所４２を隠すことができる。前記固着は、前記超音波接合によらずに、適当な接着剤を用いて行うことができる。
【符号の説明】
【００２３】
１０  装飾用の蝶結び
１２  第１の垂れ
１４  リング
１６  第１のループ
１８  結び目
２０  第２のループ
２２  第２の垂れ
Ｃ  物品
【図１】
0003194938.tif 000003
【図２】
0003194938.tif 000004
【図３】
0003194938.tif 000005
【図４】
0003194938.tif 000006
【図５】
0003194938.tif 000007